(57)【特許請求の範囲】
【請求項１】
Ｘ線放射器（Ｘ）と、
ハウジング（６）内にハウジング前面（ＧＶ）の近くに検出器板（１）が収容され、ハウジング前面（ＧＶ）とは反対側のハウジング背面（ＧＲ）に、撮影されたＸ線画像を表示するための平面形画面（１０）が設けられ、検出器板（１）と平面形画面（１０）との間に少なくとも１つのプリント板（７）上に設けられた電子回路（８）が配置されているＸ線検出器（Ｒ）と
を含むＸ線装置において、Ｘ線検出器（Ｒ）はケーブル接続なしでかつ移動式として用いることができ、Ｘ線検出器（Ｒ）の平面形画面（１０）が、接触によって機能を作動させる装置を有するセンサ画面として構成され、Ｘ線検出器（Ｒ）の電子回路（８）が、無線式にデータを送受信しかつＸ線装置を制御する無線式データ送受信装置（９）を備え、この無線式データ送受信装置（９）によってＸ線装置がケーブル接続なしで制御されることを特徴とするＸ線装置。
【請求項２】
電子回路（８）が画像処理装置を備えていることを特徴とする請求項１に記載のＸ線装置。
【請求項３】
平面形画面（１０）がＬＣＤ画面またはＯＬＥＤ画面であることを特徴とする請求項１又は２記載のＸ線装置。
【請求項４】
ハウジング（６）内に電源が収容されていることを特徴とする請求項１乃至３の１つに記載のＸ線装置。
【請求項５】
ハウジング（６）に、データをケーブル接続で伝送するためのインタフェースが設けられていることを特徴とする請求項１乃至４の１つに記載のＸ線装置。
【請求項６】
検出器板（１）が、Ｘ方向およびＹ方向に配置された複数の検出器要素（３）を備えていることを特徴とする請求項１乃至５の１つに記載のＸ線装置。
【請求項７】
検出器要素（３）が、アモルファスシリコンから作られていることを特徴とする請求項１乃至６の１つに記載のＸ線装置。
【請求項８】
検出器要素（３）が、ガラスまたはプラスチックから作られた基板（２）上に配置されていることを特徴とする請求項１乃至７の１つに記載のＸ線装置。
【請求項９】
検出器要素（３）が、蛍光体から作られた変換器層（５）によって覆われていることを特徴とする請求項１乃至８の１つに記載のＸ線装置。
【請求項１０】
高電圧発生器（Ｇ）が設けられていることを特徴とする請求項１乃至９の１つに記載のＸ線装置。
【発明の詳細な説明】
【技術分野】
【０００１】
本発明は、Ｘ線放射器と、ハウジング内にハウジング前面の近くに検出器板が収容され、ハウジング前面とは反対側のハウジング背面に、撮影されたＸ線画像を表示するための平面形画面が設けられ、検出器板と平面形画面との間に少なくとも１つのプリント板上に設けられた電子回路が配置されているＸ線検出器とを含むＸ線装置に関する。
【背景技術】
【０００２】
かかるＸ線検出器は例えば特許文献１により公知である。この公知のＸ線検出器においては、このＸ線検出器によって得られた画像データが無線通信接続路を介して制御装置に伝送される。撮影された画像は、制御装置に設けられたモニタを見ながら、その質についてＸ線の専門家によって概略的に検査される。さらに撮影されたＸ線画像はＸ線画像記録保管システムに伝送されうる。撮影されたＸ線画像を表示しＸ線装置の機能を制御するために特別な制御装置を設けることは比較的大きな設置スペースを必要とする。このことを別にして公知の制御装置の製造には費用と時間がかかる。
【０００３】
特許文献２により、Ｘ線放射器と、ハウジング内にハウジング前面の近くに検出器板が収容され、ハウジング前面とは反対側のハウジング背面に、撮影されたＸ線画像を表示するための平面形画面が設けられ、検出器板と平面形画面との間に少なくとも１つのプリント板上に設けられた電子回路が配置されているＸ線検出器とを含むＸ線装置が知られている。
【０００４】
特許文献３には、ディジタル画面センサ、平面形画面およびいわゆるタッチスクリーンを有する可搬形の医療用Ｘ線診断装置が記載されている。
【特許文献１】米国特許出願公開第２００２／０１５０２１４号明細書
【特許文献２】米国特許第６５９０９５８号明細書
【特許文献３】米国特許出願公開第２００３／０１４２７８８号明細書
【発明の開示】
【発明が解決しようとする課題】
【０００５】
本発明の課題は従来技術の欠点を取り除くことである。特に本発明の課題は、簡単で省スペースのＸ線装置の供給を可能にするＸ線検出器を提供することである。
【課題を解決するための手段】
【０００６】
この課題は、本発明によれば、Ｘ線検出器はケーブル接続なしでかつ移動式として用いることができ、Ｘ線検出器の平面形画面が、接触によって機能を作動させる装置を有するセンサ画面として構成され、Ｘ線検出器の電子回路が、無線式にデータを送受信しかつＸ線装置を制御する無線式データ送受信装置を備え、この無線式データ送受信装置によってＸ線装置がケーブル接続なしで制御されることによって解決される。好ましい実施態様は請求項２乃至１０に記載の特徴によって得られる。
【０００７】
本発明によれば、ハウジング前面とは反対側のハウジング背面に平面形画面が設けられる。平面形画面の設置は撮影されたＸ線画像の表示を可能にする。本発明によれば、特別な制御装置を設けることなしに、撮影されたＸ線画像の質をＸ線検出器に設けられた平面形画面によって直接検査できる。それとは別に、平面形画面には、Ｘ線画像を作成するのに用いられたパラメータについて説明したりＸ線装置の制御を可能にしたりする他の指示内容を表示させることもできる。
【０００８】
好ましくは、検出器板と平面形画面との間に少なくとも１つのプリント板上に設けられた電子回路が配置される。電子回路は、検出器要素の読取りのための読取電子回路、読取られた測定値のディジタル化および画像処理、並びにデータの無線伝送、さらにはＸ線装置の制御を行うための電子回路であってよい。電子回路は特に、従来技術により公知の制御装置の全機能が遂行されうるように構成される。
【０００９】
このために平面形画面は接触によって機能を作動させる装置を備える。すなわち平面形画面は従来技術により公知であるようなセンサ画面つまり「タッチパネル」の形で実施されうる。このことは特に、マウスまたはキーボードを備えることなしに、Ｘ線装置の制御及び／又は調整を可能にする。
【００１０】
電子回路は好ましくは無線式データ送受信装置を備える。それによりＸ線検出器はＸ線記憶板の形式でケーブル接続なしとしておよび移動式として用いることができる。他の好ましい実施態様によれば、電子回路が画像処理装置を備える。この画像処理装置によって特に、画像アーチファクトを修正したり、利用者側の設定に従って画像を再加工したりすることも可能になる。
【００１１】
平面形画面は、ＬＣＤ（液晶ディスプレイ）画面またはＯＬＥＤ（有機発光デバイス）画面で構成することができる。この種の画面は比較的安価に構成することができる。従って、Ｘ線画像はＸ線画像の質の判定に十分な解像度で表示される。
【００１２】
他の実施態様によれば、ハウジング内に電源、特に蓄電池が収容される。この構成はＸ線検出器をケーブルなしで実現するのに寄与する。ハウジングに、データをケーブル接続で伝送するためのインタフェースが設けられる。このインタフェースは、従来のインタフェース、例えばＵＳＢインタフェース等であってよい。このインタフェースによって、例えばコンピュータプログラムの更新されたバージョンを電子回路に容易に伝送することができる。
【００１３】
検出器板はＸ方向およびＹ方向に配置された複数の検出器要素を備えることができる。これらの検出器要素は検出器マトリクスを形成する。好ましくは、検出器要素はアモルファスシリコンから作られる。検出器要素はガラスまたはプラスチックから作られた基板上に配置される。検出器要素は、例えばフォトダイオードまたは電荷測定要素であってよい。アモルファスシリコンからなる本発明による検出器要素の構成は小形化された製造を比較的簡単に可能にする。しかしながらマトリクスはそれと共にさらなる集積度を可能とするＣＭＯＳチップから構成することもできる。それは例えば増幅器、ＡＤＣ（アナログ／ディジタル変換器）、または他の電子回路を大面積ＣＭＯＳ構造に直接装備することを可能にする。
【００１４】
他の実施態様によれば、検出器要素は、特に蛍光体から作られた変換器層によって覆われる。蛍光体はシンチレータ、例えばＣｓＩ等であってよい。シンチレータ内に吸収されたＸ線量子は光に変換される。光はフォトダイオードの形に形成された検出器要素によって検知される。このような変換器層は間接変換形変換器層と称される。一方、変換器層を例えばアモルファスセレンから作ることも可能である。そのような変換器層に吸収されたＸ線量子は電荷に変換される。この電荷は電荷検出器の形に構成された検出器要素によって検知される。このような変換器層は直接変換形変換器層と称される。
【００１５】
本発明の別の実施態様によれば、Ｘ線放射器、データ送受信装置、および本発明によるＸ線検出器を含むＸ線装置が提案される。このようなＸ線装置は本発明によるＸ線検出器によって制御されうる。このＸ線装置は好ましくは高電圧発生器を含む。この高電圧発生器も本発明によるＸ線検出器によって駆動及び／又は調整することができる。
【発明を実施するための最良の形態】
【００１６】
次に、図面を参照して本発明の実施例を詳細に説明する。
【００１７】
図１に示されている検出器板１においては、例えばガラスから作られた基板２上に多数の検出器要素３が設けられている。検出器要素３はＸ方向およびＹ方向に規則正しい配列で配置され、検出器マトリクスを形成している。検出器要素３はアモルファスシリコンから作られたフォトダイオードであってよい。各検出器要素３はスイッチ４を備えることができる。検出器要素３上に例えば蛍光体から作られた変換器層５が設けられている。蛍光体はＣｓＩであってよい。変換器層５を有する上述の検出器要素の代わりに、大きな面を持つＣＭＯＳチップ、ＣＣＤ（電荷結合デバイス）、またはＡＰＳ（アクティブピクセルセンサ）を用いることもできる。
【００１８】
図２に示されているＸ線検出器において、検出器板１はハウジング６内に収容されている。変換器層５はハウジング前面ＧＶに面している。検出器板１はハウジング前面ＧＶの近くに配置されている。検出器板１とハウジング背面ＧＲとの間に、電子回路８を取付けたプリント板７が配置されている。電子回路８は基本的にはマイクロコンピュータである。マイクロコンピュータの機能は、対応するプログラミングのもとで、例えばタッチパネルとして実施された平面形画面１０によって制御される。電子回路８は検出器要素３の逐次読込みや、読込まれた測定値のディジタル化、校正、および画像処理、データの無線受信などのための特別なプログラムを含むことができる。参照符号９によって、プリント板７に設けられた、データの伝送および受信のための無線式データ送受信装置が示されている。ハウジング背面ＧＲ上に平面形画面１０が設けられている。平面形画面１０は勿論ハウジング背面ＧＲ内に組み込むこともできる。平面形画面１０は例えばＬＣＤまたはＯＬＥＤ画面を用いることができる。電子回路８は導線１１を介して検出器要素３に接続されている。導線１１に代わる接続のために、ボンディング接続や、差込み接続、あるいはスルーホールによる貫通接続方式を用いることできる。ハウジング６内にはさらに（ここには図示していない）蓄電池を収容することができる。電子回路８は同様にハウジング６内に設けられたインタフェース（図示省略）に接続されうる。
【００１９】
図３は第１のＸ線装置を示す。図２に示されたＸ線検出器ＲおよびＸ線放射器Ｘが示されている。Ｘ線放射器Ｘのために必要な高電圧を発生する高電圧発生器Ｇは、Ｘ線検出器Ｒを取付けるための充電ステーション１２に設けられている。Ｘ線検出器Ｒを充電ステーション１２に取付け接続すると、充電ステーション１２に設けられたデータ導線（図示されていない）がインタフェースに接続される。それによって、電子回路８内に記憶された画像データの自動読出しを行うことができる。さらに高電圧発生器Ｇを収容するユニットは、データの受信および送信のためにデータ送受信装置１３を備えることができる。
【００２０】
図４は第２のＸ線装置を示す。Ｘ線放射器Ｘ、高電圧発生器Ｇ、充電ステーション１２、および送受信装置１３が１つの移動ユニットとしてまとめられている。
【００２１】
Ｘ線検出器ＲおよびＸ線装置の機能について以下に説明する。
【００２２】
Ｘ線放射器Ｘから放射されたＸ線は対象物、例えば図３および図４に示された患者Ｐを透過する。Ｘ線の吸収パターンが検出器板１に撮像される。検出器要素３によって測定された値が電子回路８によって各検出器要素３について行毎に読込まれ、ディジタル化され、増幅され、さらに画像情報に変換される。電子回路８によって作られたディジタル画像は直ちに平面形画面１０に表示される。
【００２３】
平面形画面１０はいわゆる「タッチパネル」として構成されている。すなわち、平面形画面１０はその画面上に表示された機能面に接触されることによって決定された機能を作動させられる。つまり、例えば平面形画面１０上に示されたＸ線画像を無線式データ送受信装置９によって他の送受信装置１３に伝送することができる。伝送されたデータは他の場所に蓄積されうる。このデータは要求に応じて他の場所で呼出し、Ｘ線画像の表示のために利用することができる。
【００２４】
しかし、タッチパネルによってＸ線装置を構成することも可能である。例えばそこでオペレータによってパラメータを設定したり変更したりすることができる。そこで、例えば多くの臓器記録の中から、作成すべきＸ線画像に適した臓器記録が選択される。さらに電子回路８によって、タッチパネルの利用のもとに画像処理を行うことができる。平面形画面１０上に示された画像には、例えば予め定められたフィルタリングまたは校正を施すことができる。
【００２５】
平面形画面１０上には、Ｘ線装置の構成と共に、検査すべき患者を記録した作業リストを表示することも可能である。作業リストは、いわゆるＨＩＳ（病院情報システム）によって及び／又はいわゆるＲＩＳ（放射線医学情報システム）を利用して作成され得る。作業リストは個人データを含む。さらに作業リストは各人において実施されたＸ線検査についてのデータを含むことができる。平面形画面１０がタッチパネルとして構成される限り、そこに表示される画像データは、好ましいことに、いわゆるＰＡＣＳ（画像保存通信システム）に伝送することもできる。
【図面の簡単な説明】
【００２６】
【図１】従来技術による検出器板の一部を切り欠いた斜視図
【図２】本発明によるＸ線検出器の概略縦断面図
【図３】第１のＸ線装置の説明図
【図４】第２のＸ線装置の説明図
【符号の説明】
【００２７】
１  検出器板
２  基板
３  検出器要素
４  スイッチ
５  変換器層
６  ハウジング
７  プリント板
８  電子回路
９  無線式データ送受信装置
１０  平面形画面
１１  導線
１２  充電ステーション
１３  送受信装置
Ｇ    高電圧発生器
ＧＲ  ハウジング背面
ＧＶ  ハウジング前面
Ｐ    患者
Ｒ    Ｘ線検出器
Ｘ    Ｘ線放射器
【図１】
0004731144.tif 000002
【図２】
0004731144.tif 000003
【図３】
0004731144.tif 000004
【図４】
0004731144.tif 000005